(57)【特許請求の範囲】
【請求項１】
前方に開口した箱型体の背板部が、複数枚の分割板部材と、分割板部材の端縁同士を接続する連結棒部材と、を有して形成された箱型収納家具であって、分割板部材の端縁に沿ってその背面に補強桟材を固着し、連結棒部材の中程背方に補強凸部を形成すると共にその両側方へ開口した長手方向の凹溝部を形成し、連結棒部材の両側の凹溝部に分割板部材の端縁を嵌合し、補強凸部の両側に補強桟材を当接させた状態にして、連結棒部材を介し分割板部材の端縁同士を接続固定してなる箱型収納家具。
【請求項２】
連結棒部材が合成樹脂でなる中空型材で形成され、縦桟として用いられるものであることを特徴とする請求項１記載の箱型収納家具。
【請求項３】
連結棒部材が木粉を含有する合成樹脂にて押出成形されたものであることを特徴とする請求項２記載の箱型収納家具。
【請求項４】
分割板部材の端縁と共に補強桟材の一部を連結棒部材の凹溝部に嵌合したことを特徴とする請求項１〜３のいずれか１項記載の箱型収納家具。
【発明の詳細な説明】
【技術分野】
【０００１】
本願発明は、前方に開口した箱型体の背板部が、複数枚の分割板部材と、分割板部材の端縁同士を接続する連結棒部材と、を有して形成された箱型収納家具であり、例えば、下駄箱、タンス等に用いられる箱型収納家具に関するものである。
【背景技術】
【０００２】
従来から、特開２００５−１２４７７９号公報に示されるように、箱型収納家具の背板部を、二枚の分割板部材と両分割板部材の端縁同士を接続する接合部材とで形成することは知られている。この場合、二枚の分割板部材が接合部材で接続されることで、背板部は折畳みパネルとして形成されており、輸送時や保管時等に箱型収納家具を分解した際、同背板部がコンパクトに納められその取り扱いも容易となって、梱包費や輸送費等のコストを削減することができる。
【特許文献１】特開２００５−１２４７７９号公報
【発明の開示】
【発明が解決しようとする課題】
【０００３】
しかしながら、箱型収納家具の背板部は、一般に、ベニヤ板等の薄い板材でなり、これが分割された分割板部材は脆弱なものとなる。そして、このような分割板部材を接合部材で接続して背板部が形成されると、この背板部は変形し易くて強度に問題を有したものとなる。ここで、分割板部材を厚くて強固な板材で形成することにより、強度の問題は解消されるが、材料費は高くなり、分割板部材の取り扱いや接合部材による接続も困難となって、コスト面や組立性の面で新たな問題を生じる。
【０００４】
本願発明は、上記背景技術に鑑みてなしたものであり、その目的は、分解された状態で背板部がコンパクトに納まり、その取り扱いも容易となって組立性は良好で、同背板部と共に組み立てられた箱型収納家具としても補強され、コストアップも抑えられる箱型収納家具を提供することである。
【課題を解決するための手段】
【０００５】
上記課題を解決するために、本願請求項１記載の発明では、前方に開口した箱型体の背板部が、複数枚の分割板部材と、分割板部材の端縁同士を接続する連結棒部材と、を有して形成された箱型収納家具において、分割板部材の端縁に沿ってその背面に補強桟材を固着し、連結棒部材の中程背方に補強凸部を形成すると共にその両側方へ開口した長手方向の凹溝部を形成し、連結棒部材の両側の凹溝部に分割板部材の端縁を嵌合し、補強凸部の両側に補強桟材を当接させた状態にして、連結棒部材を介し分割板部材の端縁同士を接続固定している。
【０００６】
本願請求項２記載の発明では、上記請求項１記載の箱型収納家具において、連結棒部材が合成樹脂でなる中空型材で形成され、縦桟として用いられるものであることを特徴としている。
【０００７】
本願請求項３記載の発明では、上記請求項２記載の箱型収納家具において、連結棒部材が木粉を含有する合成樹脂にて押出成形されたものであることを特徴としている。
【０００８】
本願請求項４記載の発明では、上記請求項１〜３のいずれか１項記載の箱型収納家具において、分割板部材の端縁と共に補強桟材の一部を連結棒部材の凹溝部に嵌合したことを特徴としている。
【発明の効果】
【０００９】
本願請求項１記載の発明の箱型収納家具においては、背板部を複数枚の分割板部材と連結棒部材とに分解することができ、輸送時や保管時等にコンパクトに納まる。そして、分割板部材の端縁同士を連結棒部材で接続して背板部にし、箱型収納家具として組み立てることができる。また、分割板部材の端縁に沿ってその背面に補強桟材が固着され、連結棒部材の中程背方には補強凸部が形成されて、各部材は強固なものとなる。この場合、分割板部材は厚くて強固で高価となる板材で形成することなく補強されているため、コストアップが抑えられ、しかも、分割板部材はその端縁が補強されて変形し難く、取り扱い易いものとなる。
【００１０】
更に、連結棒部材の両側の凹溝部に分割板部材の端縁が嵌合され、補強凸部の両側に補強桟材が当接された状態で、連結棒部材を介して分割板部材の端縁同士が接続固定されるため、両分割板部材は連結棒部材で確実に位置決め固定されて組立性が良好となる。しかも、この場合、補強凸部がその両側の補強桟材で挟持される状態となって、背板部の接続部位が補強されるだけでなく、各補強された分割板部材に加えて連結棒部材が補強桟としても作用するので、組み立てられた箱型収納家具としても補強される。
【００１１】
本願請求項２記載の発明の箱型収納家具においては、特に、連結棒部材が合成樹脂でなる中空型材で形成されてその材料コストは低減され、同連結棒部材が軽量となって取り扱い易いものとなる。しかも、連結棒部材は縦桟として用いられるものであり、上下方向の圧縮力に対抗する補強桟として作用するので、箱型収納家具全体がより強固で変形し難いものとなる。
【００１２】
本願請求項３記載の発明の箱型収納家具においては、特に、前記連結棒部材が木粉を含有する合成樹脂にて押出成形されるため、接着剤を介して接続される場合に、接着剤は同木粉を含んだ連結棒部材に接着し易く、接続強度が高められる。しかも、木粉を含んだ連結棒部材が、押出成形によって簡単かつ安価に製造される。
【００１３】
本願請求項４記載の発明の箱型収納家具においては、特に、分割板部材の端縁と共に補強桟材の一部が延設部となって連結棒部材の凹溝部に嵌合されるため、分割板部材の背面に固着された同補強桟材は剥がれ難くなり、背板部の接続部位がより確実に補強されるようになる。
【発明を実施するための最良の形態】
【００１４】
図１〜６は、本願発明の一実施形態である箱型収納家具を示している。この実施形態の箱型収納家具は、図１、２に示すように、前方に開口した箱型体Ａの背板部１が、複数枚の分割板部材２と、分割板部材２の端縁２ａ同士を接続する連結棒部材３と、を有して形成されたものである。そして、この箱型収納家具において、分割板部材２の端縁２ａに沿ってその背面に補強桟材４を固着し、連結棒部材３の中程背方に補強凸部５を形成すると共にその両側方へ開口した長手方向の凹溝部６を形成し、連結棒部材３の両側の凹溝部６に分割板部材２の端縁２ａを嵌合し、補強凸部５の両側に補強桟材４を当接させた状態にして、連結棒部材３を介し分割板部材２の端縁２ａ同士を接続固定したものである。
【００１５】
この実施形態の箱型収納家具では、連結棒部材３が合成樹脂でなる中空型材で形成され縦桟として用いられるものであり、この場合、同連結棒部材３は木粉を含有する合成樹脂にて押出成形されたものである。また、この実施形態の箱型収納家具では、分割板部材２の端縁２ａと共に補強桟材４の一部を延設部４ａとして、連結棒部材３の凹溝部６に嵌合したものである。
【００１６】
以下、この実施形態の箱型収納家具を、より具体的詳細に説明する。この実施形態の箱型収納家具は、図２に示すように、縦長で前後に薄い前方へ開口した木製の箱型体Ａを主体として構成され、その前方開口に開き戸や引き戸や折り戸等の開閉体（図示せず）が取り付けられ、その内部には必要に応じて棚板（図示せず）が配設されて、玄関用収納キャビネットとして用いられるものである。箱型体Ａは、天板７と底板８と両側板９とで囲まれることにより前方に開口し、その後方開口が背板部１によって閉塞される。
【００１７】
背板部１は、二枚の分割板部材２が縦桟となる連結棒部材３を介して接続されることで形成され、他方、天板７、底板８、両側板９の内面には、その後端縁に沿って結合凹溝１０が形成されており、この結合凹溝１０に同背板部１の両分割板部材２の周縁は嵌合固定される。この場合、結合凹溝１０に接着剤が塗布され、この接着剤によって結合凹溝１０に嵌合された分割板部材２の周縁は隙間なく強固に固定される。また、両側板９の内面の後端縁付近にはＬ型結合具１１が固着されており、このＬ型結合具１１によっても両分割板部材２は強固に固定される。この場合、Ｌ型結合具１１は側板９の内面にダボ結合により固着され、同Ｌ型結合具１１に分割板部材２がねじ固定される。
【００１８】
両分割板部材２は同じものであり、図３、４に示すように、縦長帯板状でその背面の全周縁に沿った位置及び中程高さ位置に補強桟材４が固着されている。この場合、分割板部材２は厚さ２．５ｍｍの合板で形成され、補強桟材４は厚さ１２ｍｍで角材状のパーティクルボードであって、四本の補強桟材４が枠組み状とされて分割板部材２の背面に固着され、同枠組み状の内側で中仕切枠となる一本の補強桟材４が固着されている。なお、図３中の１２は、縦長となる補強桟材４の結合部位を補強する補強木片である。
【００１９】
また、図４に示すように、分割板部材２の端縁２ａに沿ってその背面に固着される補強桟材４は、角材状のものが貼着され、その外側角部分が切削除去されることによって、同分割板部材２の端縁２ａと積層一体化されたフランジ状の延設部４ａが形成されたものである。この補強桟材４の一部である延設部４ａは、分割板部材２の端縁２ａと共に後記連結棒部材３の凹溝部６に嵌合固定される。なお、分割板部材２となる合板の前表面（箱型収納家具の内面となる）には、化粧シートが貼着されている。
【００２０】
図１、２に示すように、連結棒部材３は縦長の箱型体Ａの上下方向略全長にわたる長さを有しており、木粉を含有する合成樹脂にて押出成形された中空型材である。連結棒部材３は断面全体として中空略矩形状であり、その前面側基板部３ａの中程背方に中空状の補強凸部５が一体に突設されてなる。中空状の補強凸部５の基部両側には中空内側へ屈曲した凹溝部６が形成されており、この凹溝部６の前側壁となる連結棒部材３の前面側基板部３ａの両側端縁部分は、先端側が徐々に薄肉状となるようにその前表面が傾斜して形成されており、両側に接続される分割板部材２の前表面との間には大きな段差が生じない。
【００２１】
次に、図５、６によって、箱型収納家具の組立手順を説明する。まず、箱型体Ａの一方の側板９が外された状態のものを、他方の側板９を下にして設置する。そして、この状態で、両側の天板７及び底板８の内面にある結合凹溝１０に沿って片側の分割板部材２を差し入れるようにして嵌め込み、同分割板部材２の外側端縁を側板９の内面にある結合凹溝１０に嵌合する。その際、結合凹溝１０に塗布される接着剤により、結合凹溝１０に嵌合される分割板部材２の周縁は強固に固定される。また、分割板部材２の外側端縁は、側板９の内面の後端縁付近に固着されたＬ型結合具１１によっても強固に固定される。
【００２２】
そして、先に嵌め込まれた分割板部材２の内側端縁２ａに連結棒部材３を接続し、この連結棒部材３にもう片側の分割板部材２の内側端縁２ａを接続するように、このもう片側の分割板部材２を両側の天板７及び底板８の内面にある結合凹溝１０に沿って差し入れるようにして嵌め込む。ここで、図６に示すように、連結棒部材３の両側の凹溝部６に両分割板部材２の端縁２ａが各々嵌合されるものであるが、その際、凹溝部６の傾斜した後側内壁面に接着剤１３が塗布され、この接着剤１３により分割板部材２の端縁２ａは強固に嵌合固定される。
【００２３】
また、図１に示すように、中空状で弾性を有する補強凸部５の両側に補強桟材４が当接された状態で、連結棒部材３を介し両分割板部材２の端縁２ａ同士は相互に安定して接続固定される。その際、補強凸部５がその両側の補強桟材４で挟持される状態となって、背板部１の接続部位における連結棒部材３のぐらつき動きは防止される。また、分割板部材２の端縁２ａと共に補強桟材４の一部が延設部４ａとして、連結棒部材３の凹溝部６に対し強固に嵌合固定される。
【００２４】
最後に、外されていた側板９を両側の天板７及び底板８の端部間に架設固定して、箱型体Ａの組立は完了する。その際、前記と同様に、後に嵌め込まれた分割板部材２の外側端縁が側板９の内面の結合凹溝１０に接着剤を介して強固に嵌合固定され、また、この側板９の内面に固着されるＬ型結合具１１によっても同分割板部材２の外側端縁は強固に固定される。そして、箱型体Ａの前方開口に開閉体（図示せず）が取り付けられ、その内部には必要に応じて棚板（図示せず）が配設されて箱型収納家具となり、縦長状に設置されて玄関用収納キャビネットとして用いられる。
【００２５】
したがって、この実施形態の箱型収納家具においては、箱型体Ａを分解すると共に背板部１を二枚の分割板部材２と一本の連結棒部材３とに分解することができるため、輸送時や保管時等にはコンパクトに納まって、梱包費や輸送費等のコストを削減することができる。そして、分割板部材２の端縁２ａ同士を連結棒部材３で接続して背板部１にし、箱型体Ａでなる箱型収納家具として簡単に組み立てることができる。また、分割板部材２の端縁２ａに沿ってその背面に補強桟材４が固着され、連結棒部材３の中程背方には補強凸部５が形成されているため、これ等各部材は強固なものとなる。
【００２６】
この場合、分割板部材２は厚くて強固で高価となる板材で形成することなく補強されているため、コストアップが抑えられる。しかも、分割板部材２はその端縁２ａが補強されて変形し難く、取り扱い易いものとなる。更には、連結棒部材３の両側の凹溝部６に分割板部材２の端縁２ａが嵌合され、補強凸部５の両側に補強桟材４が当接された状態で、連結棒部材３を介して分割板部材２の端縁２ａ同士が接続固定されるため、両分割板部材２は連結棒部材３で確実に位置決め固定されて組立性が良好となる。
【００２７】
しかも、この場合、補強凸部５がその両側の補強桟材４で挟持される状態となって、背板部１の接続部位が補強されるだけでなく、両補強された分割板部材２に加えて連結棒部材３が補強桟としても作用するので、組み立てられた箱型収納家具は全体としても補強される。また、分割板部材２の端縁２ａと共に補強桟材４の一部が延設部４ａとなって連結棒部材３の凹溝部６に嵌合されるため、分割板部材２の背面に固着された同補強桟材４は剥がれ難くなり、背板部１の接続部位がより確実に補強されるようになる。
【００２８】
また、この実施形態の箱型収納家具においては、連結棒部材３が合成樹脂でなる中空型材で形成されてその材料コストは低減され、同連結棒部材３が軽量となって取り扱い易いものとなる。しかも、連結棒部材３は縦桟として用いられるものであり、上下方向の圧縮力に対抗する補強桟として作用するので、箱型収納家具が全体としてより強固で変形し難いものとなる。この場合に、連結棒部材３が木粉を含有する合成樹脂にて押出成形されるため、接着剤を介して接続される際、接着剤は同木粉を含んだ連結棒部材３に接着し易くて接続強度が高められる。しかも、木粉を含んだ連結棒部材３が、押出成形によって簡単かつ安価に製造される。
【００２９】
なお、本願発明においては、上記実施形態に限定されるものでなく、横長状に設置される箱型収納家具であってもよく、連結棒部材が横桟とされるものであってもよく、背板部が三枚以上の分割板部材と複数本の連結棒部材とで形成されるものであってもよいものである。また、本願発明の箱型収納家具は、玄関用収納キャビネットの他、衣装ケース、本棚等の各種キャビネット類として用いることができるものである。
【図面の簡単な説明】
【００３０】
【図１】本願発明の一実施形態である箱型収納家具の要部を示す断面図。
【図２】同箱型収納家具の全体を示す斜視図。
【図３】同箱型収納家具での分割板部材を示す背面図。
【図４】図３におけるＸ−Ｘ断面図。
【図５】同箱型収納家具の組立状態での全体を示す斜視図。
【図６】同組立状態での要部を示す断面図。
【符号の説明】
【００３１】
Ａ  箱型体
１  背板部
２  分割板部材
２ａ  端縁
３  連結棒部材
４  補強桟材
４ａ  延設部
５  補強凸部
６  凹溝部
【図１】
0004508059.tif 000002
【図２】
0004508059.tif 000003
【図３】
0004508059.tif 000004
【図４】
0004508059.tif 000005
【図５】
0004508059.tif 000006
【図６】
0004508059.tif 000007